(57)【要約】【課題】通話による表示部の表示画面の汚れを防ぐとともに、受話音声の聞き取りの向上をはかった携帯通信端末を提供する。【解決手段】薄厚の直方体形状の装置外観を有する端末筐体１０において、通話のための受話口４０を、表示画面２１を正面に視て、幅ｗ方向の一方側に位置する側面部１０ｓ（１０ｓＲ）の面上に配置する。さらに、受話口４０は、この側面部１０ｓ（１０ｓＲ）の面上において、高さｈ方向上方側に位置させて、側面部１０ｓ（１０ｓＲ）と平面部１０ｔとが連接する周側面部１０Ａｒの隅部の近傍、すなわち、直方体形状の端末筐体１０の高さｈ方向上方側の隅部の近傍に配置する。【選択図】図１
2014033348.tif 000002
【特許請求の範囲】
【請求項１】
端末筐体の内部に通信及び通話のための回路部を収容するとともに、前記端末筐体の正面部に操作画面を表示する表示部の表示画面を備えた携帯通信端末であって、
前記端末筐体の、前記正面部側から眺めた高さ方向上方側で、かつ幅方向一方側の筐体隅部には、通話のための受話口を配置した
ことを特徴とする携帯通信端末。
【請求項２】
前記受話口が設けられた側の、前記正面部の幅方向一方側の縁部形状と、前記受話口が設けられた側とは反対側の、前記正面部の幅方向他方側の縁部形状とを、異なる形状にした
ことを特徴とする請求項１に記載の携帯通信端末。
【請求項３】
前記端末筐体は、前記正面部側から眺めた奥行方向の厚さ寸法が前記正面部の幅方向及び高さ方向の寸法に比して短い、薄厚の板状形状の装置外観を有しており、
前記筐体隅部は、前記正面部と背面部とを連接して前記端末筐体の厚さを形成する前記端末筐体の周側面部、又は前記端末筐体の前記正面部若しくは背面部の、前記端末筐体の高さ方向上方側でかつ幅方向一方側に該当する部分である
ことを特徴とする請求項１又は２記載の携帯通信端末。
【請求項４】
前記端末筐体は、前記正面部側から眺めた奥行方向の厚さ寸法が前記正面部の幅方向及び高さ方向の寸法に比して短い、薄厚の直方体の装置外観を有しており、
前記筐体隅部は、前記正面部と背面部とを連接して前記端末筐体の厚さを形成する前記端末筐体の周側面部、又は当該周側面部の隅部近傍の前記端末筐体の正面部若しくは背面部の、前記端末筐体の高さ方向上方側でかつ幅方向一方側の角部及び角部近傍部分である
ことを特徴とする請求項１又は２記載の携帯通信端末。
【発明の詳細な説明】
【技術分野】
【０００１】
本発明は、通信及び通話機能を備えた携帯通信端末の改良に関する。
【背景技術】
【０００２】
通信及び通話機能を備えた携帯通信端末の一種として、スマートフォン型の携帯通信端末がある。スマートフォン型の携帯通信端末は、コンピュータのように、バイトコード(byte code)又はネイティブコード(native code)のアプリケーションプログラムを追加することができるように構成された携帯通信端末である。スマートフォン型の携帯通信端末は、バイトコード又はネイティブコードのアプリケーションプログラム、例えばブラウザ(browser)を追加することによって、携帯情報端末（ＰＤＡ; Personal Digital Assistants）としても機能することができる。
【０００３】
そのため、スマートフォン型の携帯通信端末は、携帯情報端末としても取り扱いし易いように、通常、図９に示すような装置外観を有している。
【０００４】
図９は、スマートフォン型の携帯通信端末の装置外観の一例を示した図である。
【０００５】
携帯通信端末１０１は、端末筐体１１０の内部に、ＣＰＵ（Central Processing Unit）を含み、通信及び通話機能を実現するための回路部を収容し、端末筐体１１０の正面部１１０ｆに形成された光を透過する開口部１１１から、ユーザインタフェースとしての操作画面を表示する表示部１２０の表示画面１２１を臨ませた構成になっている。
【０００６】
表示部１２０は、例えば液晶パネル等によって構成され、表示画面１２１には、画面上におけるユーザの手の接触位置、すなわちタッチ位置を検出するための透明なタッチパネルが覆設されている。
【０００７】
その上で、端末筐体１１０は、その正面部１１０ｆが幅方向（図中、矢印ｗ方向）の寸法に比して高さ方向（図中、矢印ｈ方向）の寸法が長い（大きい）矩形形状になっているとともに、その奥行（厚さ）方向（図中、矢印ｄ方向）の寸法が幅ｗ方向及び高さｈ方向の寸法に比してはるかに短く（小さく）なっており、全体として薄厚の直方体形状の装置外観を有する。
【０００８】
端末筐体１１０の正面部１１０ｆには、高さｈ方向に開口部１１１すなわち表示画面１２１を挟んで両側に位置する画面周辺部１１０ｆｔ，１１０ｆｂに、幅ｗ方向の略中央部に位置させて、受話口１４０と送話口１５０とが設けられている。受話口１４０には、通話のための図示せぬスピーカが収容され、送話口１５０には、通話のための図示せぬマイクロフォンが収容されている。
【０００９】
このように、スマートフォン型の携帯通信端末１０１にあっては、受話口１４０及び送話口１５０は、表示部１２０の表示画面１２１が配置された端末筐体１１０の概ね平坦な正面部１１０ｆに、この表示画面１２１を挟んで高さｈ方向に上下に分けて配置され、幅ｗ方向には略中央部に配置されていることが多かった。
【先行技術文献】
【特許文献】
【００１０】
【特許文献１】特開２０１１−２２３１６３号公報
【特許文献２】特開２０１２−１０００３４号公報
【発明の概要】
【発明が解決しようとする課題】
【００１１】
しかしながら、上述した外観構成を有するスマートフォン型の携帯通信端末１０１では、次に述べるような問題があつた。
【００１２】
まず、表示部１２０の表示画面１２１が配置された端末筐体１１０の概ね平坦な正面部１１０ｆに受話口１４０が配置されているため、通話の際に、その受話口１４０に耳を宛がうと、同じ正面部１１０ｆにあり、その大部分を占める表示部１２０の表示画面１２１も一緒に耳や顔に宛がわれることになるので、表示画面１２１が汚れ易いという問題があった。
【００１３】
また、表示画面１２１が配置された概ね平坦な端末筐体１１０の正面部１１０ｆにおいて、受話口１４０が、高さｈ方向に表示画面１２１よりも上方に、幅ｗ方向の略中央部に配置されているので、受話口を耳穴と対向させようとしても、受話口１４０が設けられた周囲の正面部１１０ｆの平坦面ごと、面接触若しくは線接触で耳に押し当てるようになるため、受話口が耳穴と適確に対向しているか否かが判りにくく、例えば耳穴からずれて耳輪部分で閉塞されてしまっている等の耳穴と適確に対向していない場合には、相手音声が聞こえにくくなるといった問題があった。
【００１４】
本発明は、このような問題点を鑑みされたものであって、通話による表示部の表示画面の汚れを防ぐとともに、受話音声の聞き取りの向上をはかった携帯通信端末を提供することを目的とする。
【課題を解決するための手段】
【００１５】
本発明の携帯通信端末は、上述した課題を解決するために、端末筐体の内部に通信及び通話のための回路部を収容するとともに、端末筐体の正面部に操作画面を表示する表示部の表示画面を備えた携帯通信端末であって、端末筐体の、正面部側から眺めた高さ方向上方側で、かつ幅方向一方側の筐体隅部には、通話のための受話口を配置したことを特徴とする。
【発明の効果】
【００１６】
本発明の携帯通信端末によれば、通話のために受話口に耳を宛がう際、受話口は表示部の表示画面が配置された端末筐体の概ね平坦な正面部に配置されていないので、通話の際に表示部の表示画面が耳や顔に接触するのを減少させることができ、通話による表示部の表示画面の汚れを防ぐことができる。
【００１７】
また、本発明の携帯通信端末によれば、通話のために受話口に耳を宛がう際も、受話口を耳穴との位置関係が把握し易くなり、受話口が耳穴からずれて耳輪部分で閉塞されてしまうことも防止することができ、受話音声の聞き取りも向上する。
【図面の簡単な説明】
【００１８】
【図１】本発明の第１の実施の形態に係る携帯通信端末の外観図である。
【図２】通話状態におけるユーザによる携帯通信端末の支持状態の説明図である。
【図３】通話状態におけるユーザによる携帯通信端末の支持状態の説明図である。
【図４】通話状態におけるユーザによる携帯通信端末の支持状態の説明図である。
【図５】通話状態におけるユーザによる携帯通信端末の支持状態の説明図である。
【図６】本発明の第２の実施の形態に係る携帯通信端末の外観図である。
【図７】本発明の第３の実施の形態に係る携帯通信端末の第１実施例の構成図である。
【図８】本発明の第３の実施の形態に係る携帯通信端末の第２実施例の構成図である。
【図９】スマートフォン型の携帯通信端末の装置外観の一例を示した図である。
【発明を実施するための形態】
【００１９】
以下、本発明に係る携帯通信端末の実施の形態について、図面に基づいて説明する。
【００２０】
＜第１の実施の形態＞
図１は、本発明の第１の実施の形態に係る携帯通信端末の外観図である。
【００２１】
図１において、本実施の形態の携帯通信端末１-１は、端末筐体１０の内部に、ＣＰＵ（Central Processing Unit）を含み、通信及び通話機能を実現するための回路部を収容し、端末筐体１０の正面部１０ｆに形成された光を透過する開口部１１から、ユーザインタフェースとしての操作画面を表示する表示部２０の表示画面２１を臨ませた構成になっている。
【００２２】
表示部２０は、例えば液晶パネル等によって構成され、表示画面２１には、画面上におけるユーザの手の接触位置、すなわちタッチ位置を検出するための透明なタッチパネルが覆設されている。
【００２３】
端末筐体１０は、その正面部１０ｆが幅方向（図中、矢印ｗ方向）の寸法に比して高さ方向（図中、矢印ｈ方向）の寸法が長い（大きい）矩形形状になっている。
【００２４】
また、端末筐体１０は、その正面部１０ｆと背面部１０ｒとが、正面部１０ｆの幅ｗ方向の両側にそれぞれ配置された一対の側面部１０ｓ（１０ｓＬ，１０ｓＲ）と、高さｈ方向の両側にそれぞれ配置された一対の平面部１０ｔ及び底面部１０ｂとによって、連接された構成になっている。さらに、各側面部１０ｓＬ，１０ｓＲは、平面部１０ｔ及び底面部１０ｂを介して、接続された構成になっており、各側面部１０ｓＬ，１０ｓＲ、平面部１０ｔ、及び底面部１０ｂは、端末筐体１０の周側面部１０Ａｒを形成する。
【００２５】
端末筐体１０の周側面部１０Ａｒは、その奥行（厚さ）方向（図中、矢印ｄ方向）の寸法が幅ｗ方向及び高さｈ方向の寸法に比してはるかに短く（小さく）なっている。これにより、端末筐体１０は、薄厚の板状形状の装置外観、特に図示の例では薄厚の直方体形状の装置外観を形成するようになっている。
【００２６】
このような薄厚の直方体形状の装置外観を有する端末筐体１０において、通話のための受話口４０は、表示画面２１を正面に視て、図示の例では幅ｗ方向の右側に位置する側面部１０ｓＲの面上に配置されている。さらに、受話口４０は、この側面部１０ｓＲの面上において、高さｈ方向上方側に位置させて、側面部１０ｓＲと平面部１０ｔとが連接する周側面部１０Ａｒの隅部の近傍、すなわち、直方体形状の端末筐体１０の高さｈ方向上方側の隅部の近傍に配置されている。
【００２７】
これに対し、通話のための送話口５０は、端末筐体１０の正面部１０ｆの、高さｈ方向に開口部１１すなわち表示画面２１を挟んで両側に位置する画面周辺部１０ｆｔ，１０ｆｂの中、高さｈ方向下方側の画面周辺部１０ｆｂに配置されている。さらに、送話口５０は、この画面周辺部１０ｆｂの面上において、表示画面２１を正面に視て幅ｗ方向の右側に、すなわち受話口４０が配置されている側面部１０ｓＲ寄りに偏位させて配置されている。これにより、図示の例では、表示画面２１を正面に視ても、この送話口５０の偏位により、端末筐体１０の受話口４０が配置されている側面部１０ｓＲが把握できるようにもなっている。
【００２８】
受話口４０には、通話のための図示せぬ通話用スピーカが収容され、送話口５０には、通話のための図示せぬ通話用マイクロフォンが収容されている。
【００２９】
次に、上述のように構成された本実施の形態の携帯通信端末１-１の作用について説明する。
【００３０】
ユーザは、このようなスマートフォン型の携帯通信端末を、そのアプリケーションプログラムを起動させて携帯情報端末として使用する際、操作画面の操作性の関係から、通常、次のようにして操作する。
【００３１】
例えば、端末筐体１０の背面部１０ｒに片方の手の掌を添わせるようにして、同じ片方の手の親指と残りの指とで端末筐体１０の幅ｗ方向両側の薄い（狭い）側面部１０ｓ（１０ｓＬ，１０ｓＲ）を掴むようにして支持しながら、他方の手の指で表示画面２１に触れて、携帯通信端末１-１を両手で操作する。
【００３２】
また、端末筐体１０の背面部１０ｒに片方の手の親指以外の指の指腹を宛がって端末筐体１０を背面部１０ｒの側から支持しながら、同じ片方の手の親指で表示画面２１に触れて、携帯通信端末１-１を片手で操作する。
【００３３】
このような携帯通信端末１-１に対しての携帯情報端末としての操作に対して、通話の際は、通常、その受話口４０を耳穴に対向させ、送話口５０をユーザの口元側に向けて開放しておく。特に、受話口４０については、その通話用スピーカから出力される受話出力は小音量なので、周囲からの音を雑音として混在させないように、受話口４０を耳穴にできるだけ近接させて対向させる必要がある。
【００３４】
また、携帯通信端末１-１については、通話発信時、ダイヤル番号等の操作キーは表示画面２１に操作画面として表示されるので、発信（オフフック）操作までは、携帯通信端末１-１は、前述した携帯情報端末として使用する際と同様にして、ユーザによって支持されている。また、通話受信時についても、携帯通信端末１-１は通話使用以外のときも携帯情報端末として使用されていることが多く、また受信（オフフック）操作も行わなければならないので、前述した携帯情報端末として使用する際と同様にして、携帯通信端末１-１はユーザによって支持されることになる。
【００３５】
図２〜５は、受話口を耳穴に対向させた通話状態におけるユーザによる携帯通信端末の支持状態の説明図である。
【００３６】
図２は、携帯情報端末としての操作時又は通話開始操作時に、端末筐体１０の背面部１０ｒに片方の手の掌を添わせるようにして、同じ片方の手の親指と残りの指とで端末筐体１０の幅ｗ方向両側の薄い（狭い）側面部１０ｓ（１０ｓＬ，１０ｓＲ）を掴むようにして支持していた場合の、通話中状態におけるユーザによる携帯通信端末１-１の支持状態の説明図である。
【００３７】
この場合は、端末筐体１０の背面部１０ｒに片方の手の掌を添わせるようにして、同じ片方の手の親指と残りの指とで端末筐体１０の幅ｗ方向両側の薄い（狭い）側面部１０ｓ（１０ｓＬ，１０ｓＲ）を掴むようにして支持していた携帯通信端末１-１を、肘を屈曲させて持ち上げて、側面部１０ｓＲの面上において高さｈ方向上方側に位置させて配置されている受話口４０を耳穴にできるだけ近接させて対向させるようにして、耳に宛がう。
【００３８】
その際は、肘を屈曲させて持ち上げるだけで、携帯通信端末１-１の支持姿勢に無理なく、端末筐体１０を耳に宛がうことができる。
【００３９】
また、受話口４０を耳穴に近接させて対向させる際も、受話口４０は、奥行ｄ方向の寸法が短い周側面部１０Ａｒの隅部、図１の例では、端末筐体１０の薄い（狭い）側面部１０ｓ（１０ｓＲ）の高さｈ方向上方側の隅部の近傍に配置されているので、従来のように受話口１４０が設けられた周囲の正面部１１０ｆの平坦面ごと、面接触若しくは線接触で耳に押し当てる必要がなくなる。すなわち、受話口４０が配置された周側面部１０Ａｒすなわち側面部１０ｓ（１０ｓＲ）は奥行ｄ方向の寸法が短く、薄厚で、受話口４０はさらにその隅部の近傍に配置されているので、携帯通信端末１-１を耳に宛がう際は、専ら端末筐体１０の奥行ｄ方向の寸法以下の部分を耳に押し当てながら、容易かつ的確に、受話口４０が耳穴に対向するように位置決めすることが可能になる。
【００４０】
さらに、この通話時における携帯通信端末１-１の支持状態では、受話口４０が端末筐体１０の周側面部１０Ａｒすなわち側面部１０ｓ（１０ｓＲ）に配置されているため、表示画面２１も一緒に耳や顔に宛がわれることがないので、通話による表示部２０の表示画面２１の汚れを防ぐことができる。
【００４１】
加えて、送話口５０も、受話口４０が配置されている側面部１０ｓＲ寄りに偏位させて、高さｈ方向下方側の画面周辺部１０ｆｂに配置されているので、従前のように画面周辺部１０ｆｂの幅ｗ方向中央部に配置されている場合よりも、顔（頭部）側に近い位置になるので、よりクリアに送話音声を拾い易くなり、送話音声の品質も向上する。この点は、通話機能を備えたタブレット型コンピュータの場合は、いわゆる携帯電話装置に比べて端末筐体１０は大きくなるので、その相違は顕著である。
【００４２】
図３は、携帯情報端末としての操作時又は通話開始操作時に、端末筐体１０の背面部１０ｒに片方の手の親指以外の指の指腹を宛がって端末筐体１０を背面部１０ｒの側から支持していた場合の、通話中状態におけるユーザによる携帯通信端末１-１の支持状態の説明図である。
【００４３】
この場合は、端末筐体１０の背面部１０ｒに指腹を宛がっていた親指以外の指と、表示画面２１に触れて操作画面を操作する同じ手の親指とで、端末筐体１０の正面部１０ｆと背面部１０ｒとを掴むようにして支持した上で、携帯通信端末１-１を、肘を屈曲させて持ち上げて、側面部１０ｓＲの面上において高さｈ方向上方側に位置させて配置されている受話口４０を耳穴にできるだけ近接させて対向させるようにして、耳に宛がう。
【００４４】
この場合も、図２に示した場合と同様に、肘を屈曲させて持ち上げるだけで、携帯通信端末１-１の支持姿勢に無理なく、端末筐体１０を耳に宛がうことができる。
【００４５】
図４は、図２に示した場合とは左右反対の手によって、図２に示した場合と同様にして端末筐体１０を支持していた場合の説明図である。
【００４６】
この場合は、端末筐体１０の背面部１０ｒに片方の手の掌を添わせるようにして、同じ片方の手の親指と残りの指とで端末筐体１０の幅ｗ方向両側の薄い（狭い）側面部１０ｓ（１０ｓＬ，１０ｓＲ）を掴むようにして支持していた携帯通信端末１-１を、例えば手首を回して端末筐体１０を裏返してから、同様に、肘を屈曲させて持ち上げて、側面部１０ｓＲの面上において高さｈ方向上方側に位置させて配置されている受話口４０を耳穴にできるだけ近接させて対向させるようにして、耳に宛がう。
【００４７】
その際も、同様に、肘を屈曲させて持ち上げることによって、携帯通信端末１-１の支持姿勢に無理なく、端末筐体１０を耳に宛がうことができる。
【００４８】
図５は、図３に示した場合とは左右反対の手によって、図３に示した場合と同様にして端末筐体１０を支持していた場合の説明図である。
【００４９】
この場合は、例えば、端末筐体１０の背面部１０ｒに指腹を宛がっていた親指以外の指と、表示画面２１に触れて操作画面を操作する同じ手の親指とで、端末筐体１０の正面部１０ｆと背面部１０ｒとを掴むようにして支持していた端末筐体１０を、例えば回転変位させてその向きを少し変えてから、手首を回して端末筐体１０を裏返して、同様に、肘を屈曲させて持ち上げて、側面部１０ｓＲの面上において高さｈ方向上方側に位置させて配置されている受話口４０を耳穴にできるだけ近接させて対向させるようにして、耳に宛がう。
【００５０】
その際も、同様に、肘を屈曲させて持ち上げることによって、携帯通信端末１-１の支持姿勢に無理なく、端末筐体１０を耳に宛がうことができる。
【００５１】
このように、本実施の携帯通信端末１-１によれば、図２〜５のいずれの場合であっても、受話口４０を耳穴に近接させて対向させる際、受話口４０が設けられた周囲の正面部１０ｆの平坦面ごと、面接触若しくは線接触で耳に押し当てる必要がなくなり、専ら端末筐体１０の奥行ｄ方向の寸法以下の部分を耳に押し当てながら、容易かつ的確に、受話口４０が耳穴に対向するように位置決めすることが可能になる。また、通話の際、表示画面２１も一緒に耳や顔に宛がわれることがないので、通話による表示部２０の表示画面２１の汚れを防ぐことができる。加えて、送話口５０も、受話口４０が配置されている側面部１０ｓＲ寄りに偏位させて、高さｈ方向下方側の画面周辺部１０ｆｂに配置されているので、従前のように画面周辺部１０ｆｂの幅ｗ方向中央部に配置されている場合よりも、顔（頭部）側に近い位置になり、よりクリアに送話音声を拾い易くなり、送話音声の品質も向上する。
【００５２】
＜第２の実施の形態＞
図６は、本発明の第２の実施の形態に係る携帯通信端末の外観図である。
【００５３】
本実施の形態に係る携帯通信端末１-２は、図１に示した携帯通信端末１-１と、送話口５０の配置が異なる。そのため、本実施の形態に係る携帯通信端末１-２の説明に当たっては、それ以外の構成部分については、図１に示した携帯通信端末１-１と同一又は同様であるので、これら構成部分については、同一符号を付し、その説明は省略する。
【００５４】
本実施の形態による携帯通信端末１-２では、通話のための送話口５０は、表示画面２１を正面に視て、図示の例では幅ｗ方向の右側に位置する側面部１０ｓＲの面上に配置されている。さらに、送話口５０は、この側面部１０ｓＲの面上において、受話口４０とは逆に、高さｈ方向下方側に位置させて、側面部１０ｓＲと底面部１０ｂとが連接する周側面部１０Ａｒの隅部の近傍、すなわち、直方体形状の端末筐体１０の高さｈ方向下方側の隅部の近傍に配置されている。
【００５５】
本実施の形態の携帯通信端末１-２によっても、図１に示した携帯通信端末１-１の場合と同様に、携帯通信端末１-２の支持姿勢に無理なく、端末筐体１０を耳に宛がうことができる。また、受話口４０を耳穴に近接させて対向させる際も、受話口４０が設けられた周囲の正面部１０ｆの平坦面ごと、面接触若しくは線接触で耳に押し当てる必要がなくなり、専ら端末筐体１０の奥行ｄ方向の寸法以下の部分を耳に押し当てながら、容易かつ的確に、受話口４０が耳穴に対向するように位置決めすることが可能になる。また、通話の際、表示画面２１も一緒に耳や顔に宛がわれることがないので、通話による表示部２０の表示画面２１の汚れを防ぐことができる。
【００５６】
また、本実施の形態の携帯通信端末１-２によれば、通話時における端末筐体１０の支持状態に関らず、常に送話口５０は、顔（頭部）側に近い位置で、ユーザの口元側に向いているので、送話音声の品質のさらなる向上をはかることができる。
【００５７】
また、端末筐体１０の正面部１０ｆの、画面周辺部１０ｆｂに送話口５０を設けず、受話口４０及び送話口５０を高さｈ方向に表示部２０の表示画面２１と重なるように配置できるので、端末筐体１０の高さ寸法を変えずに表示画面２１の高さ寸法を拡張したり、表示画面２１の高さ寸法を変えずに端末筐体１０の高さ寸法を小型化することも可能になる。
【００５８】
また、この端末筐体１０の高さ寸法の小型化については、その両端側にそれぞれ設けられた受話口４０と送話口５０との距離を近づけることになるが、前述した携帯通信端末１-１も含め、本実施の形態に係る携帯通信端末１−２の場合は、図９に示した端末筐体１１０の正面部１１０ｆに受話口４０及び送話口５０を配置したものに比べ、図２〜５に示した通話状態から明らかなように、受話口４０を耳に宛がった状態では受話口４０が耳へよりフィットする分、送話口５０は受話口４０よりも顔（頭部）から離間する傾向になるので、送話口５０が塞がってしまう心配もなく、必要な小型化を支障なくはかれる。
【００５９】
＜第３の実施の形態＞
本実施の形態に係る携帯通信端末１-３，１−４は、図１，図６に示した携帯通信端末１-１，１-２と異なり、端末筐体１０の正面部１０ｆ及び背面部１０ｒの幅ｗ方向両側の縁部形状を、左右で変えて異ならせたものである。そのため、本実施の形態に係る携帯通信端末１-３，１−４の説明に当たっては、それ以外の構成部分については、図１及び図６に示した携帯通信端末１-１，１-２と同一又は同様であるので、これら構成部分については、同一符号を付し、その説明は省略する。
【００６０】
図７は、本実施の形態による携帯通信端末の第１実施例の構成図である。
【００６１】
本実施の形態による携帯通信端末１-３では、受話口４０及び送話口５０が配置された側の、端末筐体１０の正面部１０ｆ及び背面部１０ｒの側面部１０ｓＲ側の縁部形状が、弧状に凹んだ形状になっている。これに伴い、側面部１０ｓＲは受話口４０及び送話口５０が配置された高さｈ方向両端側に対して中央部分が凹んだ湾曲面になっている。
【００６２】
これによって、ユーザは、端末筐体１０の幅ｗ方向両側の側面部１０ｓ（１０ｓＬ，１０ｓＲ）の中、受話口４０及び送話口５０が配置された側の側面部１０ｓ（１０ｓＲ）を容易に把握することができる。
【００６３】
また、受話口４０及び送話口５０が配置された側面部１０ｓＲが、側面部１０ｓＲは受話口４０及び送話口５０が配置された高さｈ方向両端側に対して中央部分が凹んだ湾曲面になっているので、特に、端末筐体１０の背面部１０ｒに片方の手の掌を添わせるようにして、同じ片方の手の親指と残りの指とで端末筐体１０の幅ｗ方向両側の薄い（狭い）側面部１０ｓ（１０ｓＬ，１０ｓＲ）を掴むようにして支持した場合であっても、受話口４０を耳穴に近接させて対向させる際、側面部１０ｓＲ側の指が近接の邪魔になるのを抑制することもできる。
【００６４】
図８は、本実施の形態による携帯通信端末の第２実施例の構成図である。
【００６５】
本実施の形態による携帯通信端末１-４では、受話口４０及び送話口５０が配置された側とは反対側の、端末筐体１０の正面部１０ｆ及び背面部１０ｒの側面部１０ｓＬ側の縁部形状が、弧状に突出した形状になっている。これに伴い、側面部１０ｓＬは受話口４０及び送話口５０が配置された高さｈ方向両端側に対して中央部分が出っ張った湾曲面になっている。
【００６６】
これによって、ユーザは、端末筐体１０の幅ｗ方向両側の側面部１０ｓ（１０ｓＬ，１０ｓＲ）の中、受話口４０及び送話口５０が配置された側の側面部１０ｓ（１０ｓＬ）を容易に把握することができる。
【００６７】
また、この端末筐体１０の高さ寸法の大型化については、前述した携帯通信端末１−２も含め、本実施の形態に係る携帯通信端末１−３，１−４の場合は、図９に示した端末筐体１１０の正面部１１０ｆに受話口４０及び送話口５０を配置したものに比べ、送話口５０を側面部１０ｓＲの高さｈ方向の任意の位置に置くことが可能となり、送話口５０の位置を口元により近くなるように設計することができるため、必要な大型化を支障なくはかれる。
【００６８】
＜その他の実施の形態＞
本発明に係る携帯通信端末の実施の形態については、以上、図面に基づいて説明した構成に限られるものではない。
【００６９】
例えば、上述した携帯通信端末では、通話のための受話口４０は、表示画面２１を正面に視て、幅ｗ方向の右側に位置する側面部１０ｓＲの面上に配置したが、幅ｗ方向の左側に位置する側面部１０ｓＬに配置した場合も、同様な作用・効果を奏することは明らかである。また、通話のための受話口４０は、幅ｗ方向両側の側面部１０ｓ（１０ｓＬ，１０ｓＲ）の中、一方の側面部１０ｓにのみ配置した構成を説明したが、幅ｗ方向両側の側面部１０ｓそれぞれに受話口４０をそれぞれ設け、使用する受話口４０を選択できるようにしてもよい。
【００７０】
また、端末筐体１０の装置外観も、隅部を有する薄厚の板状形状の装置外観を有しているものならば、上述の図示した形状に限るものではなく、例えば、表示画面を正面に視た正面部１０ｆの形状が樽型形状や杯形状等であってもよい。また、その寸法形状も、受話口４０及び送話口５０が両端側に配置された高さｈ方向の寸法が、幅ｗ方向の寸法よりも短くてもよい。
【００７１】
さらに、受話口４０は、上述した実施の形態では、表示画面を正面に視て、幅ｗ方向の一方側に位置する側面部１０ｓ（１０ｓＲ）の面上の、高さｈ方向上方側に位置させて配置したが、図７に示した携帯通信端末１-３を例に説明すれば、面取りした隅部１０ｃｔＲやその近傍の平面部１０ｔに配置してもよい。要は、その配置位置は、薄厚の板状形状の端末筐体１０の厚さを形成する周側面部１０Ａｒの隅部及びその隅部の近傍の周側面部上又はその隅部の近傍の正面部上、背面部上であればよい。
【００７２】
このように、本発明の携帯通信端末の具体的態様については、種々の変形例が可能である。
【符号の説明】
【００７３】
１-１  携帯通信端末、  １０  端末筐体、  １１  開口部、  ２０  表示部、
２１  表示画面、  ４０  受話口、  ５０  送話口、
１０１  携帯通信端末、  １１０  端末筐体、  １１１  開口部、
１２０  表示部、  １２１  表示画面、
１４０  受話口、  １５０  送話口、
【図１】
2014033348.tif 000003
【図２】
2014033348.tif 000004
【図３】
2014033348.tif 000005
【図４】
2014033348.tif 000006
【図５】
2014033348.tif 000007
【図６】
2014033348.tif 000008
【図７】
2014033348.tif 000009
【図８】
2014033348.tif 000010
【図９】
2014033348.tif 000011